(57)【要約】【課題】ＤＶＤのＶＲオーサリングエリアへの頻繁なデータの書き込みを防止できるだけでなく、ＤＶＤの寿命を延長しオーサリングの速度を増加できるＤＶＤビデオ記録を外部保存装置にオーサリングする方法の提供。【解決手段】本発明のＤＶＤビデオ記録を外部保存装置にオーサリングする方法は、ＤＶＤビデオ記録のオーサリング操作を記録する少なくとも一つの記録を修正するのに使用されるオーサリングデータを受け取るステップと、全体のオーサリング操作が完了するまで上記記録を上記オーサリングデータにより外部保存装置において修正し、記録をＣＤ媒体の特殊エリアに保存するステップと、を具えたことを特徴とする。【選択図】        図１
2004152351.tif 000002
【特許請求の範囲】
【請求項１】
ＤＶＤビデオ記録を外部保存装置にオーサリングする方法において、
ＤＶＤビデオ記録のオーサリング操作を記録する少なくとも一つの記録を修正するのに使用されるオーサリングデータを受け取るステップと、
全体のオーサリング操作が完了するまで上記記録を上記オーサリングデータにより外部保存装置において修正し、記録をＣＤ媒体の特殊エリアに保存するステップと、
を具えたことを特徴とする、ＤＶＤビデオ記録を外部保存装置にオーサリングする方法。
【請求項２】
請求項１に記載のＤＶＤビデオ記録を外部保存装置にオーサリングする方法において、上記特殊エリアがビデオ記録オーサリングエリアであることを特徴とする、ＤＶＤビデオ記録を外部保存装置にオーサリングする方法。
【請求項３】
請求項１に記載のＤＶＤビデオ記録を外部保存装置にオーサリングする方法において、上記ＣＤ媒体が再書き込み可能ＤＶＤとされたことを特徴とする、ＤＶＤビデオ記録を外部保存装置にオーサリングする方法。
【請求項４】
請求項３に記載のＤＶＤビデオ記録を外部保存装置にオーサリングする方法において、上記外部保存装置がハードディスクとされたことを特徴とする、ＤＶＤビデオ記録を外部保存装置にオーサリングする方法。
【請求項５】
請求項３に記載のＤＶＤビデオ記録を外部保存装置にオーサリングする方法において、記録をＤＶＤに保存するステップで焼き付け装置を使用することを特徴とする、ＤＶＤビデオ記録を外部保存装置にオーサリングする方法。
【発明の詳細な説明】
【０００１】
【発明の属する技術分野】
本発明は一種のビデオ記録処理の分野に係り、さらに詳しくは、ＤＶＤビデオ記録を外部保存装置にオーサリングする方法に関する。
【０００２】
【従来の技術】
科学技術の進歩により、コンパクトディスク（ＣＤ）はここ数年、データ保存に十分でなくなっている。このため先進の業者は現在のＣＤの限界を克服すべく保存媒体の新標準を捜し求めている。これにより、先進業者はＣＤ標準の新世代を提案し、こうしてＤＶＤ（ｄｉｇｉｔａｌ  ｖｅｒｓａｔｉｌｅ  ｄｉｓｃ）が販売されるに至った。
【０００３】
コンピュータデータのデータ処理の能力を改良するには、現在のＣＤの能力は十分でない。ＤＶＤはこの問題を解決することができる。ＤＶＤ＋ＲＷは再書き込み可能ＤＶＤの仕様であり、消費性電化製品とデータ保存目的に用いられる。ＤＶＤは巨大容量をユーザーに提供し、高品質のマルチメディアデータの保存に供される。
【０００４】
ＤＶＤの最もよく知られた目的はＤＶＤビデオ製作であり、追加の仕様と能力、例えばマルチサブタイトル、マルチアングル、アスペクト比、マルチオーディオ、ドルビーデジタル、領域コード等を提供する。
【０００５】
焼き付け（ｂｕｒｎｅｒ）装置の発展により、ＤＶＤ＋ＲＷ焼き付け及びアプリケーションソフトがＤＶＤビデオの一般ユーザーによる編集を可能とした。しかし、ユーザーがＤＶＤビデオ製作する時、ＤＶＤは二つの異なるエリア、即ちＶＲデータエリア（ビデオ記録）とＶＲオーサリングエリアに割り当てられ、該ＶＲオーサリングエリアはオーサリング情報、例えばアセット（ａｓｅｔｔｓ）間の連接、インタラクション（ｉｎｔｅｒａｃｔｉｏｎ）機能、インストラクションコード、及びユーザーメニューの記録に用いられ、ＤＶＤのＶＲオーサリングエリアはユーザーがオーサリングする間に続けて再書き込みされる。
【０００６】
再書き込み可能ＤＶＤは通常、ユーザーにより何度も書き込めるが、前述の状況のために、二つのエリアの再書き込み頻度における明らかな違いがもたらされる。さらに、ＶＲオーサリングエリアはＤＶＤの特殊な場所に位置する必要がある。このため、ＶＲオーサリングエリアの再書き込み頻度は制限を超過し、これは、ＶＲデータエリアが利用可能であってもＤＶＤが依然としてＤＶＤビデオ焼き付けプロセスに使用できないということを示す。
【０００７】
【発明が解決しようとする課題】
本発明の主要な目的は、従来の技術の欠点を改善すべく、一種の、ＤＶＤビデオ記録を外部保存装置にオーサリングする方法を提供することにある。
【０００８】
【課題を解決するための手段】
請求項１の発明は、ＤＶＤビデオ記録を外部保存装置にオーサリングする方法において、
ＤＶＤビデオ記録のオーサリング操作を記録する少なくとも一つの記録を修正するのに使用されるオーサリングデータを受け取るステップと、
全体のオーサリング操作が完了するまで上記記録を上記オーサリングデータにより外部保存装置において修正し、記録をＣＤ媒体の特殊エリアに保存するステップと、
を具えたことを特徴とする、ＤＶＤビデオ記録を外部保存装置にオーサリングする方法としている。
請求項２の発明は、請求項１に記載のＤＶＤビデオ記録を外部保存装置にオーサリングする方法において、上記特殊エリアがビデオ記録オーサリングエリアであることを特徴とする、ＤＶＤビデオ記録を外部保存装置にオーサリングする方法としている。
請求項３の発明は、請求項１に記載のＤＶＤビデオ記録を外部保存装置にオーサリングする方法において、上記ＣＤ媒体が再書き込み可能ＤＶＤとされたことを特徴とする、ＤＶＤビデオ記録を外部保存装置にオーサリングする方法としている。
請求項４の発明は、請求項３に記載のＤＶＤビデオ記録を外部保存装置にオーサリングする方法において、上記外部保存装置がハードディスクとされたことを特徴とする、ＤＶＤビデオ記録を外部保存装置にオーサリングする方法としている。
請求項５の発明は、請求項３に記載のＤＶＤビデオ記録を外部保存装置にオーサリングする方法において、記録をＤＶＤに保存するステップで焼き付け装置を使用することを特徴とする、ＤＶＤビデオ記録を外部保存装置にオーサリングする方法としている。
【０００９】
【発明の実施の形態】
本発明はＤＶＤビデオ記録を外部保存装置にオーサリングする方法を提供し、この方法のステップは、オーサリングデータを受け取りオーサリングデータを使用して記録ファイルを修正し、記録ファイルにＤＶＤビデオ記録のオーサリング情報を記録させるステップと、全てのオーサリング操作が完了するまで外部保存装置に受け取ったオーサリングデータにより記録ファイルを修正するステップと、最後に記録ファイルをＤＶＤの特殊エリアに焼き付けるステップと、を具えている。
【００１０】
【実施例】
ＤＶＤビデオの生成は四つのステップに分けられる。図１に示されるように、それは、プロジェクトプラニング１００（Ｐｒｏｊｅｃｔ  Ｐｌａｎｎｉｎｇ）、ビットバジェッティング１０２（Ｂｉｔ  Ｂｕｄｊｅｔｉｎｇ）、アセットキャプチャ１０４（Ａｓｓｅｔ  Ｃａｐｔｕｒｅ）、及びオーサリング１０６（Ａｕｔｈｅｒｉｎｇ）である。
【００１１】
そのうち、プロジェクトプラニング１００は準備とプラニングのステップであり、最初に全体プロジェクトが定義される。プロジェクトは好ましくは単なる普通の映画ではなく、インタラクションビデオとされ、それはマルチオプション、マルチアングル及び一連のストーリーの異なる脚本（ｓｃｒｉｐｔ）を具えたものとされる。全体のプロジェクト構造が決定された時に生成フロー或いはプラニングモジュールの構築が開始する。そのほか、プロジェクトプラニングではいくつのアセットを準備しキャプチャせねばならないかを計算する。アセットのタイプには映画、音楽、画像、及びサブタイトルが含まれうる。
【００１２】
ビデオメーカーは、アセットキャプチャ１０４の前にビットバジェッティング１０２を実行しなければならない。ＤＶＤの容量によりこれらのアセットの時間、量及び品質の間のバランスが決定される。次にアセットキャプチャ１０４を実行するが、通常は、このＤＶＤ用のアセットはいくつかのタイプに分けられる。即ち、ビデオクリップ、サウンドトラック及びサブタイトルである。ＤＶＤのビデオクリップの標準フォーマットはＭＰＥＧである。サウンドの仕様はＰＣＭ、ドルビーデジタル（Ｄｏｌｂｙ  Ｄｉｇｉｔａｌ）（ＮＴＳＣシステム標準）及びＭＰＥＧ（ＰＡＬシステム標準）である。サブタイトルは写真（ｐｈｏｔｏｇｒａｐｈｓ）である。
【００１３】
図２は本発明の好ましい実施例であり、そのうち、ＤＶＤ２００はＤＶＤビデオを記録するのに使用される。ゆえに、ＤＶＤ２００はＶＲ（ｖｉｄｅｏ  ｒｅｃｏｒｄ）オーサリングエリア２００ＡとＶＲデータエリア２００Ｂに分割されうる。前述のアセット２０６がキャプチャされ、それからＤＶＤ２００のＶＲデータエリア２００Ｂに焼き付け装置２０４により焼き付けられる。このとき、ＤＶＤ２００に焼き付けられるこれらのアセット間に関係は設定されていない。
【００１４】
次に、オーサリング１０６を実行し、このオーサリング２０６は、アセットアセンブリ（ａｓｓｅｔ  ａｓｓｅｍｂｌｙ）、インタラクティビティー編集（ｉｎｔｅｒａｃｔｉｖｉｔｙ  ｅｄｉｔｉｎｇ）及び多重化（ｍｕｌｔｉｐｌｅｘｉｎｇ）のステップを含む。アセットアセンブリでは必要アセットをキャプチャした後に全てのアセットの連接関係を設定する。アセンブリした後のアセットはＶＯＢ（ｖｉｄｅｏ  ｏｂｊｅｃｔ）と称される。
【００１５】
さらに、前述のオーサリング１０６はメニュー編集のステップを含む。このほか、オーサリング動作はそれぞれ個別のファイル名と共にいくつかのオーサリング記録ファイルに記録される。よく知られた手順によると、オーサリング記録ファイルはＤＶＤ２００のＶＲオーサリングエリア２００Ａに焼き付けられる。そして毎回、新しいオーサリング命令によりオーサリング記録ファイルがアップデートされと、そのアップデート記録ファイルがＶＲオーサリングエリア２００Ａに再焼き付けされる。ゆえに、オーサリングの間、ＶＲオーサリングエリア２００Ａへの頻繁な焼き付けが必要とされる。結果として、ＶＲオーサリングエリア２００Ａにおける再書き込み回数はＶＲデータエリア２００Ｂへの再書き込み回数より多くなる。
【００１６】
ゆえに、本発明では外部保存装置２０２をＶＲデータエリア２００Ｂに模し、この外部保存装置２０２はハードディスク、メモリ或いは磁気テープとされ得て、データ変換と迅速なデータ保存に適合する。外部保存装置２０２は本実施例ではハードディスクとされる。外部保存装置２０２は同一オーサリング記録ファイルを提供し、それはＶＲオーサリングエリア２００Ａに保存され、こうしてオーサリング記録ファイルのアップデート操作が外部保存装置２０２で行われる。外部保存装置２０２に保存されたオーサリング記録ファイルは全体のオーサリングが完了した時、焼き付け装置２０４を透過しＤＶＤ２００のＶＲオーサリングエリア２００Ａ上に転送される。
【００１７】
上述の説明により、本発明はＤＶＤビデオの外部保存装置２０２への記録方法を提供する。それはＤＶＤ２００のＶＲオーサリングエリア２００Ａへの頻繁なデータの書き込みを防止するだけでなく、ＤＶＤ２０２の寿命を延長しオーサリングの速度を増加する。
【００１８】
図３にはこの実施例のフローチャートが示されている。まず、データを受け取り（３００）、それからデータがオーサリングデータであるかを検査する（３０２）。もしデータがオーサリングデータでなければ、受け取ったデータをＤＶＤのＶＲデータエリアに焼き付け装置を透過して焼き付ける（３０４）。
【００１９】
もし、記録データがオーサリングデータを含めば、全体のオーサリング３０８が完了するまでに、外部保存装置のオーサリング記録ファイルのアップデート３０６を実行する。その後、外部保存装置より模擬オーサリング記録ファイルがＤＶＤのＶＲデータエリアに焼き付け装置を透過して転送される。
【００２０】
以上は本発明を説明するために提示した実施例であって、本発明の実施範囲を限定するものではなく、本発明に基づきなしうる細部の修飾或いは改変は、いずれも本発明の請求範囲に属するものとする。
【００２１】
【発明の効果】
本発明はＤＶＤビデオ記録を外部保存装置にオーサリングする方法を提供し、この方法のステップは、オーサリングデータを受け取りオーサリングデータを使用して記録ファイルを修正し、記録ファイルにＤＶＤビデオ記録のオーサリング情報を記録させるステップと、全てのオーサリング操作が完了するまで外部保存装置に受け取ったオーサリングデータにより記録ファイルを修正するステップと、最後に記録ファイルをＤＶＤの特殊エリアに焼き付けるステップと、を具えている。本発明により、ＤＶＤのＶＲオーサリングエリアへの頻繁なデータの書き込みを防止できるだけでなく、ＤＶＤの寿命を延長しオーサリングの速度を増加できる。
【図面の簡単な説明】
【図１】ＤＶＤビデオ記録生成のステップ表示図である。
【図２】本発明の好ましい実施例図である。
【図３】本発明の好ましい実施例のフローチャートである。
【符号の説明】
１００  プロジェクトプラニング
１０２  ビットバジェッティング
１０４  アセットキャプチャ
１０６  オーサリング
２００  ＤＶＤ
２００Ａ  ＶＲオーサリングエリア
２００Ｂ  ＶＲデータエリア
２０２  外部保存装置
２０４  焼き付け装置
２０６  アセット
３００  データ受け取り
３０２  データがオーサリングデータであるか
３０４  オーサリング記録ファイルをＤＶＤのＶＲデータエリアに焼き付け装置を透過して焼き付ける
３０６  外部保存装置のオーサリング記録ファイルのアップデートを実行
３０８  オーサリングが完了したか
【図１】
2004152351.tif 000003
【図２】
2004152351.tif 000004
【図３】
2004152351.tif 000005